【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
外部装置に、時間軸上で連続する映像信号及び／又は音声信号を含むデジタルデータストリームの送信を要求し、その要求に応じて送信された前記デジタルデータストリームを受信する通信部と、
受信した前記映像信号及び／又は音声信号をレート変換するサンプルレートコンバータと、
レート変換され、連続信号に戻された前記映像信号及び／又は音声信号を出力する出力部と、
を有し、
前記サンプルレートコンバータは、
（ａ）電子装置が処理した又は出力した前記映像信号及び／又は音声信号の時間情報及び／又はデータ量と、
（ｂ）前記外部装置から送信された前記映像信号及び／又は音声信号の時間情報及び／又はデータ量、もしくは、前記外部装置が前記電子装置に送信可能になった前記映像信号及び／又は音声信号の時間情報及び／又はデータ量と、
に基づいて、一定のサンプリングクロックで所定量の前記映像信号及び／又は音声信号をレート変換し出力するサンプル数を変化させることを特徴とする電子装置。
【請求項２】
前記外部装置は、前記外部装置が電子装置に送信可能になった前記データストリームのデータ量が一定量に達する毎に前記通信部に割込信号を送信し、
前記サンプルレートコンバータは、電子装置が処理した又は出力した前記映像信号及び／又は音声信号のデータ量と、受信した前記割込信号の数とに基づいて、前記出力するサンプル数を変化させることを特徴とする請求項１に記載の電子装置。
【請求項３】
前記外部装置が外部から送出された前記デジタルデータストリームを受信する受信装置であり、前記電子装置が前記映像信号及び／又は音声信号の復号部又は表示部を有することを特徴とする請求項１又は請求項２に記載の電子装置。
【請求項４】
前記外部装置がＩＣカードであり、前記電子装置が前記ＩＣカードを装着したホスト装置であることを特徴とする請求項１又は請求項２に記載の電子装置。
【請求項５】
外部装置に、時間軸上で連続する映像信号及び／又は音声信号を含むデジタルデータストリームの送信を要求し、その要求に応じて送信された前記デジタルデータストリームを受信する通信ステップと、
受信した前記映像信号及び／又は音声信号をレート変換するサンプルレート変換ステップと、
レート変換され、連続信号に戻された前記映像信号及び／又は音声信号を出力する出力ステップと、
を有し、
前記サンプルレート変換ステップにおいて、
（ａ）電子装置が処理した又は出力した前記映像信号及び／又は音声信号の時間情報及び／又はデータ量と、
（ｂ）前記外部装置から送信された前記映像信号及び／又は音声信号の時間情報及び／又はデータ量、もしくは、前記外部装置が前記電子装置に送信可能になった前記映像信号及び／又は音声信号の時間情報及び／又はデータ量と、
に基づいて、一定のサンプリングクロックで所定量の前記映像信号及び／又は音声信号をレート変換し出力するサンプル数を変化させることを特徴とする電子装置の制御方法。
【請求項６】
前記外部装置は、前記外部装置が電子装置に送信可能になった前記データストリームのデータ量が一定量に達する毎に割込信号を送信し、
前記サンプルレート変換ステップにおいて、電子装置が処理した又は出力した前記映像信号及び／又は音声信号のデータ量と、受信した前記割込信号の数とに基づいて、前記出力するサンプル数を変化させることを特徴とする請求項５に記載の電子装置の制御方法。
【手続補正２】
【補正対象書類名】明細書
【補正対象項目名】００１０
【補正方法】変更
【補正の内容】
【００１０】
上記課題を解決するため、本発明は以下の構成を有する。請求項１に記載の発明は、外部装置に、時間軸上で連続する映像信号及び／又は音声信号を含むデジタルデータストリームの送信を要求し、その要求に応じて送信された前記デジタルデータストリームを受信する通信部と、受信した前記映像信号及び／又は音声信号をレート変換するサンプルレートコンバータと、レート変換され、連続信号に戻された前記映像信号及び／又は音声信号を出力する出力部と、を有し、前記サンプルレートコンバータは、
（ａ）電子装置が処理した又は出力した前記映像信号及び／又は音声信号の時間情報及び／又はデータ量と、
（ｂ）前記外部装置から送信された前記映像信号及び／又は音声信号の時間情報及び／又はデータ量、もしくは、前記外部装置が前記電子装置に送信可能になった前記映像信号及び／又は音声信号の時間情報及び／又はデータ量と、
に基づいて、一定のサンプリングクロックで所定量の前記映像信号及び／又は音声信号をレート変換し出力するサンプル数を変化させることを特徴とする電子装置である。
【手続補正３】
【補正対象書類名】明細書
【補正対象項目名】００１１
【補正方法】変更
【補正の内容】
【００１１】
請求項５に記載の発明は、外部装置に、時間軸上で連続する映像信号及び／又は音声信号を含むデジタルデータストリームの送信を要求し、その要求に応じて送信された前記デジタルデータストリームを受信する通信ステップと、受信した前記映像信号及び／又は音声信号をレート変換するサンプルレート変換ステップと、レート変換され、連続信号に戻された前記映像信号及び／又は音声信号を出力する出力ステップと、を有し、前記サンプルレート変換ステップにおいて、
（ａ）電子装置が処理した又は出力した前記映像信号及び／又は音声信号の時間情報及び／又はデータ量と、
（ｂ）前記外部装置から送信された前記映像信号及び／又は音声信号の時間情報及び／又はデータ量、もしくは、前記外部装置が前記電子装置に送信可能になった前記映像信号及び／又は音声信号の時間情報及び／又はデータ量と、
に基づいて、一定のサンプリングクロックで所定量の前記映像信号及び／又は音声信号をレート変換し出力するサンプル数を変化させることを特徴とする電子装置の制御方法である。
【手続補正４】
【補正対象書類名】明細書
【補正対象項目名】００２２
【補正方法】変更
【補正の内容】
【００２２】
本発明の実施の形態１において、ホスト装置１６０は、機能モジュールカード１１０の挿入スロット（図示しない）を有する。ホスト装置１６０の挿入スロットに設けられたコネクタは、挿入スロットに装着された機能モジュールカード１１０のコネクタ（図示しない）と接続される。このコネクタを通じて、ホスト装置１６０は、機能モジュールカード１１０に電力及び制御コマンド、データ等を出力し、機能モジュールカード１１０が出力するレスポンス、動画の映像信号及び音声信号、データ等を入力する。実施の形態１では、ホスト装置１６０はＰＤＡ（Personal Digital Assistants）である。ホスト装置１６０は、機能モジュールカード１１０をカードの挿入スロットに差し込み、機能モジュールカード１１０で受信した地上波デジタル放送の映像データ及び音声データをディスプレイ１８０及びスピーカ１８１に出力する。ディスプレイ１８０及びスピーカ１８１を、ホスト装置１６０に内蔵しても良い。
【手続補正５】
【補正対象書類名】明細書
【補正対象項目名】００２３
【補正方法】変更
【補正の内容】
【００２３】
ホスト装置１６０は他の機器（例えばノートパソコン、携帯電話）であっても良い。ホスト装置１６０は、その挿入スロット（コネクタを含む。）に、機能モジュールカード１１０の他、種々の機能モジュールカード（メモリ機能のみを有するメモリカード、メモリ機能と他の機能（例えば無線通信機能）を有する機能モジュールカード等）を装着し、動作させることができる。
【手続補正６】
【補正対象書類名】明細書
【補正対象項目名】００２７
【補正方法】変更
【補正の内容】
【００２７】
機能モジュールカード１１０は、ホスト装置１６０からのコマンドに対するレスポンスを、コマンド／レスポンス線１４２を通じてホスト装置１６０に送信する。コマンド／レスポンス線１４２又はデータ線１４３〜１４６を通じ、データをホスト装置１６０に送信する。データ線１４３〜１４６のいずれか１本を通じ、データを伝送していない期間に割込信号をホスト装置１６０に送信する。例えば、機能モジュールカード１１０は、受信したデジタル信号ストリームの圧縮データ、割込信号、フラッシュメモリ１１９に格納したデータをホスト装置１６０に送信する。上記の割込信号、レスポンス及びデータの出力は、クロック線１４１を通じてホスト装置１６０から伝送される伝送クロックに同期して行われる。
【手続補正７】
【補正対象書類名】明細書
【補正対象項目名】００４７
【補正方法】変更
【補正の内容】
【００４７】
ステップ２２８でカード制御部１１６は、データ線１４３〜１４６のいずれか１本を通じ、割込信号をホスト制御部１６１に送信する。ホスト制御部１６１は割込信号を受信する（ステップ２０３）。ホスト制御部１６１は、コマンド／レスポンス線１４２を通じ、通信部１１７に割込原因情報の送信要求指令を送信する（ステップ２０４）。通信部１１７は、割込原因情報の送信要求指令を受信する（ステップ２２９）。通信部１１７は、コマンド／レスポンス線１４２を通じ、割込原因は、バッファメモリ１１５内に新たに格納された映像音声圧縮データが所定量に達したことであるという情報をホスト制御部１６１に送信する（ステップ２３０）。ホスト制御部１６１は、割込原因情報を受信する（ステップ２０５）。ホスト制御部１６１は、データレート検出部１７５に割込信号の受信通知を送る。
【手続補正８】
【補正対象書類名】明細書
【補正対象項目名】００５８
【補正方法】変更
【補正の内容】
【００５８】
バッファコントローラ４１４は、映像データ及び音声データをバッファメモリ４１５に格納する。バッファコントローラ４１４は、バッファメモリ４１５に格納した映像データ及び音声データのデータ蓄積量を記憶しており、新たにバッファメモリ４１５に蓄積した映像データ及び音声データのデータ量が所定値Ｒ’（Ｒ’は任意の正整数）に達する毎に、その情報をカード制御部１１６に送信する。その情報を入力したカード制御部１１６は、ホスト装置４６０に割込信号（ホスト装置４６０に映像データ及び音声データの読み出しを要求する割込信号）を送信する。ホスト装置４６０は、割込信号を入力すると、カード制御部１１６に映像データ及び音声データの読み出し要求コマンドを送信する。バッファコントローラ４１４は、映像データ及び音声データの読み出し要求コマンドに応じて、バッファメモリ４１５から映像データ及び音声データを読み出し、カード制御部１１６を通じてホスト装置４６０に送信する。
【手続補正９】
【補正対象書類名】明細書
【補正対象項目名】００６０
【補正方法】変更
【補正の内容】
【００６０】
データレート検出部４７５のカウンタ４７６は、機能モジュールカード４１０が受信する映像信号及び音声信号（放送信号）のデータレートと、ホスト装置４６０が出力する映像信号及び音声信号のデータレートとの差分であるレート差情報を記憶する。データレート検出部４７５は、ホスト制御部１６１から割込信号の受信通知を受信すると、レート差情報から１を減ずる。バッファコントローラ１６６から映像データ及び音声データの出力通知を受信すると、レート差情報に１を加える。映像データ及び音声データの出力データ量が所定値Ｒ’（Ｒ’は機能モジュールカード４１０が映像データ及び音声データの情報量を分周して割込信号を出力する分周比）に達する毎に、その出力情報をデータレート検出部４７５に送信する。データレート検出部４７５は、バッファコントローラ１６６からの出力情報を受信すると、レート差情報に１を加える。
【手続補正１０】
【補正対象書類名】明細書
【補正対象項目名】００６４
【補正方法】変更
【補正の内容】
【００６４】
ステップ５３２、５３３、５０７を説明する。ステップ５３２でカード制御部１１６は、バッファコントローラ４１４を通じ、バッファメモリ４１５から映像データ及び音声データを読み出す。ステップ５３３で通信部１１７は、データ線１４３〜１４６の少なくとも１本（好ましくは４本）を通じ、ホスト制御部１６１に映像データ及び音声データを送信する。ホスト制御部１６１は、映像データ及び音声データを受信する（ステップ５０７）と共に、映像データ及び音声データをサンプルレートコンバータ１６５に送信する。